【手続補正書】
【提出日】平成20年1月31日(2008.1.31)
【手続補正１】
【補正対象書類名】明細書
【補正対象項目名】特許請求の範囲
【補正方法】変更
【補正の内容】
【特許請求の範囲】
【請求項１】
重畳状態と展開状態への走行が可能な複数の遮光羽根と、これら遮光羽根における走行方向に略直交する方向の一端側に連結された２つのアーム部材とによって平行リンク状の羽根ユニットを構成し、前記アーム部材を回動させて前記複数の遮光羽根を走行させるシャッタ装置において、
前記複数の遮光羽根は、走行方向における両端縁が該走行方向に略直交する方向に延びる羽根本体部を有しており、
前記複数の遮光羽根のうち、該遮光羽根の走行時に最も移動量が少ない遮光羽根における前記アーム部材への連結部がある支持部の延長上に、展開状態から重畳状態への走行方向とは反対方向に突出し、該突出方向先端側よりも根元側の方が該走行方向に略直交する方向において幅広となる形状であり、突出した長さをＬ１とし、前記羽根本体部の走行方向の幅をＷ１としたときに、
Ｌ１＞Ｗ１
の関係を満たす第１の遮光片部を有し、
前記複数の遮光羽根のうち、該遮光羽根の走行時に２番目に移動量が少ない遮光羽根における前記アーム部材への連結部がある支持部の延長上に、展開状態から重畳状態への走行方向とは反対方向に突出し、該突出方向先端側よりも根元側の方が該走行方向に略直交する方向において幅広となる形状であり、突出した長さをＬ２とし、前記羽根本体部の走行方向の幅をＷ２としたときに、
Ｌ２＞Ｗ２
の関係を満たす第２の遮光片部を有することを特徴とするシャッタ装置。
【請求項２】
前記複数の遮光羽根のうち、該遮光羽根の走行時に３番目に移動量が少ない遮光羽根における前記アーム部材との連結部がある支持部の延長上に、展開状態から重畳状態への走行方向とは反対方向に突出し、該突出方向先端側よりも根元側の方が該走行方向に略直交する方向において幅広となる形状である第３の遮光片部を有し、前記複数の遮光羽根の重畳状態にて、前記第３の遮光片部が、前記最も移動量が少ない遮光羽根における前記２つのアーム部材のうち一方のアーム部材との連結部と、前記２番目に移動量が少ない遮光羽根における前記一方のアーム部材との連結部との間に入り込むことを特徴とする請求項１に記載のシャッタ装置。
【請求項３】
前記最も移動量が少ない遮光羽根における前記２つのアーム部材のうち少なくとも一方との連結部が、前記羽根本体部よりも走行方向外方に設けられていることを特徴とする請求項１又は２に記載のシャッタ装置。
【手続補正２】
【補正対象書類名】明細書
【補正対象項目名】０００３
【補正方法】変更
【補正の内容】
【０００３】
このようなフォーカルプレーンシャッタで用いられる一般的な機構としては、アーム部材による遮光羽根群の保持方式の違いによって、ロングアームタイプのものとショートアームタイプのものとがある。
【手続補正３】
【補正対象書類名】明細書
【補正対象項目名】００１２
【補正方法】変更
【補正の内容】
【００１２】
第１のアーム１０６と第２のアーム１０７には、スリット形成羽根１０２と覆い羽根１０３，１０４，１０５，１０５′とが回転自在に羽根カシメダボ１０８ａ，１０８ｂ，１０８ｃ，１０８ｄ，１０８ｅ，１０９ａ，１０９ｂ，１０９ｃ，１０９ｄ，１０９ｅによって連結されており、これら２本の第１および第２のアーム１０６，１０７と５枚の羽根と基板とによって平行リンクが構成される。
【手続補正４】
【補正対象書類名】明細書
【補正対象項目名】００４４
【補正方法】変更
【補正の内容】
【００４４】
加えて、羽根重畳時に、スリット形成羽根を支持する第１および第２のアーム上での連結部をファインダと開口窓との間に存する収納部領域に収めるため、平行リンクのスリット形成羽根上の連結距離が短くなってしまい、露光スリットの平行度を保ち難いという不都合もあった。
【手続補正５】
【補正対象書類名】明細書
【補正対象項目名】００４７
【補正方法】変更
【補正の内容】
【００４７】
また、上記第３の従来例（実公平７−２５７８７号）では、上記第２の従来例に示されている第１の実施例と基本的構成は同じであり、３本あるアームに起因する複雑な構造、作動抵抗増、羽根ユニットのイナーシャが大きいという不都合と、アーム自体の強度が弱いという不都合と、さらに移動量が２番目に少ない羽根２ｃ（実公平７−２５７８７号中の数字。以下この段落および次の段落において同じ）の、第１および第２のアーム１１，１２への連結部が短冊状の羽根本体部の根元幅内に収まり、支持部同士が接近しているため、遮光片部が大きくなる不都合があった。
【手続補正６】
【補正対象書類名】明細書
【補正対象項目名】００５４
【補正方法】変更
【補正の内容】
【００５４】
【課題を解決するための手段】
上記の目的を達成するために、本願発明では、重畳状態と展開状態への走行が可能な複数（例えば４枚）の遮光羽根と、これら遮光羽根における走行方向に略直交する方向の一端側に連結された２つのアーム部材とによって平行リンク状の羽根ユニットを構成し、アーム部材を回動させて複数の遮光羽根を走行させるシャッタ装置において、複数の遮光羽根が、走行方向における両端縁が該走行方向に略直交する方向に延びる羽根本体部を有しており、複数の遮光羽根のうち、該遮光羽根の走行時に最も移動量が少ない遮光羽根におけるアーム部材への連結部がある支持部の延長上に、展開状態から重畳状態への走行方向とは反対方向に突出し、該突出方向先端側よりも根元側の方が該走行方向に略直交する方向において幅広となる形状であり、突出した長さをＬ１とし、羽根本体部の走行方向の幅をＷ１としたときに、
Ｌ１＞Ｗ１
の関係を満たす第１の遮光片部を有し、複数の遮光羽根のうち、該遮光羽根の走行時に２番目に移動量が少ない遮光羽根におけるアーム部材への連結部がある支持部の延長上に、展開状態から重畳状態への走行方向とは反対方向に突出し、該突出方向先端側よりも根元側の方が該走行方向に略直交する方向において幅広となる形状であり、突出した長さをＬ２とし、前記羽根本体部の走行方向の幅をＷ２としたときに、
Ｌ２＞Ｗ２
の関係を満たす第２の遮光片部を有する。
【手続補正７】
【補正対象書類名】明細書
【補正対象項目名】００５６
【補正方法】削除
【補正の内容】
【手続補正８】
【補正対象書類名】明細書
【補正対象項目名】００５７
【補正方法】削除
【補正の内容】
【手続補正９】
【補正対象書類名】明細書
【補正対象項目名】００５８
【補正方法】変更
【補正の内容】
【００５８】
また、羽根ユニットのイナーシャ増への影響の比較的小さい、移動量の少ない遮光羽根に、遮光のために必要かつ十分な大きさの遮光片部を設けることによって、羽根ユニットのイナーシャを抑えつつ、十分な遮光能力を確保することが可能となる。
【手続補正１０】
【補正対象書類名】明細書
【補正対象項目名】００５９
【補正方法】変更
【補正の内容】
【００５９】
本願発明では、複数の遮光羽根のうち、該遮光羽根の走行時に３番目に移動量が少ない遮光羽根におけるアーム部材との連結部がある支持部の延長上に、展開状態から重畳状態への走行方向とは反対方向に突出し、該突出方向先端側よりも根元側の方が該走行方向に略直交する方向において幅広となる形状である第３の遮光片部を有し、上記複数の遮光羽根の重畳状態にて、上記第３の遮光片部が、最も移動量が少ない遮光羽根における２つのアーム部材のうち一方のアーム部材との連結部と、２番目に移動量が少ない遮光羽根における上記一方のアーム部材との連結部との間に入り込むようにしている。
【手続補正１１】
【補正対象書類名】明細書
【補正対象項目名】００７１
【補正方法】変更
【補正の内容】
【００７１】
６は第１先幕アームであり、その基端部６ｂはシャッタ地板１に設けられた軸１ｄの周りに回転自在に取り付けられ、先端側に設けられたカシメダボ８ａによって先幕スリット形成羽根２を回転自在に連結支持している。
【手続補正１２】
【補正対象書類名】明細書
【補正対象項目名】００７６
【補正方法】変更
【補正の内容】
【００７６】
先幕覆い羽根において、＃２先羽根３は短冊状の（すなわち、羽根走行方向の両端縁が羽根走行方向に略直交する方向に延びる形状を有する）羽根本体部３ａと、先幕アーム６，７との連結部（後述する穴３ｃ，３ｄ）が設けられた支持部３ｂ（斜破線部）と、支持部３ｂに隣接して図１の走行準備完了状態（展開状態）からの羽根走行方向とは略反対方向に延出した遮光片部３ｅ（斜線部）（第３の遮光片部）とから構成されている。
【手続補正１３】
【補正対象書類名】明細書
【補正対象項目名】００７９
【補正方法】変更
【補正の内容】
【００７９】
＃３先羽根４は、短冊状の羽根本体部４ａと、先幕アーム６，７との連結部（後述する穴４ｃ，４ｄ）が設けられた支持部４ｂ（斜破線部）と、支持部４ｂに隣接して走行準備完了状態（展開状態）からの羽根走行方向とは略反対方向に突出した遮光片部４ｅ（斜線部）（第２の遮光片部）とから構成されている。
【手続補正１４】
【補正対象書類名】明細書
【補正対象項目名】００８５
【補正方法】変更
【補正の内容】
【００８５】
＃４羽根５は、短冊状の羽根本体部５ａと、先幕アーム６，７との連結部（後述する穴５ｃ，５ｄ）が設けられた支持部５ｂ（斜破線部）と、支持部５ｂに隣接して走行準備完了状態（展開状態）からの羽根走行方向とは略反対方向に突出した遮光片部５ｅ（斜線部）（第１の遮光片部）とから構成されている。
【手続補正１５】
【補正対象書類名】明細書
【補正対象項目名】００９２
【補正方法】変更
【補正の内容】
【００９２】
図１の走行準備完了状態において、先幕スリット形成羽根２のスリット形成縁部２ａにおけるアーム基端部側の端部２ｂは、後幕駆動レバー２１の駆動ピン２１ａに干渉しないように、駆動ピン２１ａの作動領域外に位置している。
【手続補正１６】
【補正対象書類名】明細書
【補正対象項目名】０１０１
【補正方法】変更
【補正の内容】
【０１０１】
後幕覆い羽根において、＃２後羽根１１は、短冊状の羽根本体部１１ａと、後幕アーム１４，１５との連結部（後述する穴１１ｃ，１１ｄ）が設けられた支持部１１ｂ（斜破線部）と、支持部１１ｂに隣接して走行準備完了状態（重畳状態）からの羽根走行方向とは略反対方向に突出した遮光片部１１ｅ（斜線部）（第３の遮光片部）とから構成されている。
【手続補正１７】
【補正対象書類名】明細書
【補正対象項目名】０１０４
【補正方法】変更
【補正の内容】
【０１０４】
＃３後羽根１２は、短冊状の羽根本体部１２ａと、後幕アーム１４，１５との連結部（後述する穴１２ｃ，１２ｄ）が設けられた支持部１２ｂ（斜破線部）と、支持部１２ｂに隣接して走行準備完了状態（重畳状態）からの羽根走行方向とは略反対方向に突出した遮光片部１２ｅ（斜線部）（第２の遮光片部）とから構成されている。
【手続補正１８】
【補正対象書類名】明細書
【補正対象項目名】０１１０
【補正方法】変更
【補正の内容】
【０１１０】
＃４後羽根１３は、短冊状の羽根本体部１３ａと、後幕アーム１４，１５との連結部（後述する穴１３ｃ，１３ｄ）が設けられた支持部１３ｂ（斜破線部）と、支持部１３ｂに隣接して走行準備完了状態（重畳状態）からの羽根走行方向とは略反対方向に突出した遮光片部１３ｅ（斜線部）（第１の遮光片部）とから構成されている。
【手続補正１９】
【補正対象書類名】明細書
【補正対象項目名】０１２４
【補正方法】変更
【補正の内容】
【０１２４】
一方、本実施形態では、先幕も後幕も羽根カシメダボ等の互い違いに入り込む配置によりアーム回転角を大きく増やすことができ、羽根重畳状態で、アーム基端部に近い側に配置された２枚の羽根（＃３先羽根４，＃４先羽根５，＃３後羽根１２，＃４後羽根１３）のカシメダボ８ｃ，９ｃ，８ｄ，９ｄ，１６ｃ，１７ｃ，１６ｄ，１７ｄがシャッタ地板１の外形の横方向端部１１に近付き、且つ横方向端部１１に沿って配置できるため、先幕の羽根カシメボタン８ｃ，８ｄ（および９ｃ，９ｄ）の横方向距離は０．４４ｍｍ、後幕の羽根カシメダボ１６ｃ，１６ｄ（および１７ｃ，１７ｄ）の横方向距離は０．７７ｍｍとなる。
【手続補正２０】
【補正対象書類名】明細書
【補正対象項目名】０１３７
【補正方法】変更
【補正の内容】
【０１３７】
そこで、以下にシャッタ装置の小型化のための着目点を述べる。なお、ここでは、シャッタ開口１ａにおけるアーム基端部側（図１の向って左側）の端面からシャッタ地板１におけるアーム基端部を支持する側（図１の向って左側）の端面までの寸法をＢとし、シャッタ開口１ａにおける羽根先端側（図１の向って右側）の端面からシャッタ地板１における羽根先端側（図１の向って右側）の端面までの寸法をＣとする。
【手続補正２１】
【補正対象書類名】明細書
【補正対象項目名】０１３９
【補正方法】変更
【補正の内容】
【０１３９】
マル１ アームに回転自在に連結支持される羽根群の枚数第１実施形態では、先幕・後幕ともに４枚羽根構成としたのに対し、第１の従来例の先幕のように５枚の羽根をアームに支持させた場合に、カメラの巻上げチャージ完了状態（近年のモーター組込みカメラではこの状態で次の撮影を待つ）での、先幕がシャッタ開口を閉鎖した羽根群展開時に遮光に必要な所定の羽根重なり量（第１実施形態では。図１に示すように４ｍｍ、第１の従来例でも図２１に示すように４ｍｍ）を確保する条件では、羽根１枚の幅は５枚羽根の方が小さくできる。したがって、羽根群枚数の多い方が、シャッタ開口を開放した羽根群格納状態では小さく折りたためるため、シャッタの羽根走行方向に一致した上下方向の寸法は小さくなる。
【手続補正２２】
【補正対象書類名】明細書
【補正対象項目名】０１５３
【補正方法】変更
【補正の内容】
【０１５３】
これらの図において、１０ｂは後幕スリット形成羽根１０におけるスリット形成縁部１０ａのアーム基端部側の端部であり、１８（二点鎖線で示す）は従来に倣った配置にした＃３後羽根１２用のカシメダボである。また、１１ａは＃２後羽根１１の遮光片部であり、１２ａは＃３後羽根１２の遮光片部である。
【手続補正２３】
【補正対象書類名】明細書
【補正対象項目名】０１５４
【補正方法】変更
【補正の内容】
【０１５４】
従来のアーム上での羽根連結部（羽根カシメダボ）の配置は、図２１および図２２に示すように、４枚羽根構成の後幕では、アーム基端部回転中心（１０１ｆ，１０１ｇ）とアーム先端のスリット形成羽根の連結部（１１６ａ，１１７ａ）の回転中心とを結ぶ線分からの距離で見ると、羽根連結部の回転中心のうち羽根１１１の連結部（１１６ｂ，１１７ｂ）の回転中心が最も離れており（その距離は図中ｆで示す）、以下、羽根１１２用の連結部（１１６ｃ，１１７ｃ），羽根１１３用の連結部（１１６ｄ，１１７ｄ）の順である。
【手続補正２４】
【補正対象書類名】明細書
【補正対象項目名】０１５５
【補正方法】変更
【補正の内容】
【０１５５】
一方、５枚構成の先幕では、同様にアーム基端部の回転中心（１０１ｄ，１０１ｅ）とアーム先端のスリット形成羽根の連結部（１０８ａ，１０９ａ）の回転中心とを結ぶ線分からの距離で見ると、羽根連結部の回転中心のうち羽根１０４の連結部（１０８ｃ，１０９ｃ）の回転中心が最も離れており（その距離は図中ｇで示す）、以下、羽根１０３用の連結部（１０８ｂ，１０９ｂ），羽根１０５用の連結部（１０８ｄ，１０９ｄ），羽根１０５’用の連結部（１０８ｅ，１０９ｅ）の順である。
【手続補正２５】
【補正対象書類名】明細書
【補正対象項目名】０２２０
【補正方法】変更
【補正の内容】
【０２２０】
（第２実施形態）図１１から図２０には、本発明の第２実施形態である画像表示装置を示している。この画像表示装置は、カメラ撮影された現像済みフィルムの画像を鑑賞することができるものであり、フォトスタンドや電子アルバムなどに適したものである。
【手続補正２６】
【補正対象書類名】明細書
【補正対象項目名】０２２９
【補正方法】変更
【補正の内容】
【０２２９】
ここで、ＳＬＭ３２９について、図１３を用いて詳しく説明する。なお、図１３の（ａ）は画像書き込み時、（ｂ）は画像観察時のＳＬＭ３２９の状態を示している。
【手続補正２７】
【補正対象書類名】明細書
【補正対象項目名】０２４７
【補正方法】変更
【補正の内容】
【０２４７】
覆い羽根において、第２の羽根３０３は、短冊状の羽根本体部３０３ａと、第１および第２アーム３０６，３０７に連結される連結部（後述する穴３０３ｃ，３０３ｄ）が形成された支持部３０３ｂ（斜破線部）と、支持部３０３ｂに隣接して展開状態からの羽根走行方向とは略反対方向に突出した遮光片部３０３ｅ（斜線部）（第３の遮光片部）とから構成されている。
【手続補正２８】
【補正対象書類名】明細書
【補正対象項目名】０２５０
【補正方法】変更
【補正の内容】
【０２５０】
第３の羽根３０４は、短冊状の羽根本体部３０４ａと、第１および第２アーム３０６，３０７に連結される連結部（後述する穴３０４ｃ，３０４ｄ）が形成された支持部３０４ｂ（斜破線部）と、支持部３０４ｂに隣接して展開状態からの羽根走行方向とは略反対方向に突出した遮光片部３０４ｅ（斜線部）（第２の遮光片部）とから構成されている。
【手続補正２９】
【補正対象書類名】明細書
【補正対象項目名】０２５３
【補正方法】変更
【補正の内容】
【０２５３】
ここで、各遮光片部３０３ｅ，３０４ｅは、互いに重なり合って羽根ユニットの展開状態と展開状態からの走行途中とでのシャッタ開口３０１ａの羽根ユニットアーム側３０１ａ′の遮光を行う。また、第２アーム３０７に連結された穴３０４ｄは、羽根本体部３０４ａの走行方向幅Ｗ２（＝２９．７ｍｍ）を横方向へ延長した領域に対してＭ（＝２．７ｍｍ）だけ走行方向外方に位置している。
【手続補正３０】
【補正対象書類名】明細書
【補正対象項目名】０２５５
【補正方法】変更
【補正の内容】
【０２５５】
第４の羽根３０５は、短冊状の羽根本体部３０５ａと、第１および第２アーム３０６，３０７に連結される連結部（後述する穴３０５ｃ，３０５ｄ）が形成された支持部３０５ｂ（斜破線部）と、支持部３０５ｂに隣接して展開状態からの羽根走行方向とは略反対方向に突出した遮光片部３０５ｅ（斜線部）（第１の遮光片部）とから構成されている。
【手続補正３１】
【補正対象書類名】明細書
【補正対象項目名】０２５９
【補正方法】変更
【補正の内容】
【０２５９】
さらに、遮光片部３０５ｅの羽根本体部３０５ａから突出した長さＬ１（＝３９．６ｍｍ）と羽根本体部３０５ａの走行方向幅Ｗ１（＝２７．０ｍｍ）の大小関係は、Ｌ１＞Ｗ１となっている。
【手続補正３２】
【補正対象書類名】明細書
【補正対象項目名】０２７３
【補正方法】変更
【補正の内容】
【０２７３】
ここからは新しい画像の書き込み動作のフローとなる。現在の画像表示装置３２１の状態は、例えばオフィスの机の上や家庭の壁などの棚の上に置かれていて、おおよそ数百ルクスの明るさの中に置かれている。これらの外光は一枚の偏光板３２９ｈおよびＦＬＣ（液晶層）３２９ｅを通ることによって約半減してフォトコン層３２９ｄに入射しているが、現在の状態ではＳＷ３３１が開いているため、ＩＴＯ膜３２９ｃ，３２９ｆの間には電界がかからない。従って、ＦＬＣ３２９ｅは反応しない。
【手続補正３３】
【補正対象書類名】明細書
【補正対象項目名】０２７５
【補正方法】変更
【補正の内容】
【０２７５】
ステップＳ１１７で行われるストロボ発光は、時間にして約５００μｓｅｃ．程度で全ての発光を終えるので、ステップＳ１１５で行われるＳＷ３３１のＯＮもほぼそれと同じくらいの時間のタイミングで行われ、発光終了後、速やかにＳＷ３３１をＯＦＦすることによって電界がカットされる（Ｓ１１８）。
【手続補正３４】
【補正対象書類名】明細書
【補正対象項目名】０２７９
【補正方法】変更
【補正の内容】
【０２７９】
『遮光羽根ユニットセット』（図１９のフローチャート参照）
遮光羽根ユニット３４０が画像表示装置３２１のシャッタ開口３０１ａを完全に遮光するために、まず、モータ３３３を正回転させる（Ｓ１３０）。これにより、ギヤ列３３４を介して第１アーム３０６が軸３０１ｄの周りで反時計回り方向に回転し、遮光羽根ユニット３４０は、図１５に示す遮光解除状態から図１４に示す遮光状態へと移動（走行）する。
【手続補正３５】
【補正対象書類名】明細書
【補正対象項目名】０２８４
【補正方法】変更
【補正の内容】
【０２８４】
『遮光羽根ユニットオープン』（図２０のフローチャート参照）
遮光羽根ユニット３４０が画像表示装置３２１のシャッタ開口３０１ａを完全に遮光解除するために、まず、モータ３３３を逆回転させる（Ｓ１４０）。これにより、ギヤ列３３４を介して第１羽根アーム３０６が軸３０１ｄの周りで時計回り方向に回転し、遮光羽根ユニット３４０は、図１４に示す遮光状態から図１５に示す遮光解除状態へと移動（走行）する。
【手続補正３６】
【補正対象書類名】明細書
【補正対象項目名】０２９８
【補正方法】変更
【補正の内容】
【０２９８】
また、第１実施形態と同様に、それぞれの寸法間で適した（バランスの良い）組合わせがあるが、小型化の主体となるのはＤ寸法とθであり、Ｅ寸法で羽根連結部の干渉調整とスリット形成羽根の平行度維持を行い、アームへの羽根連結部（羽根カシメダボ）の配置の工夫で羽根連結部の干渉調整と羽根重なり量維持等の遮光性確保を行う。また、Ｂ寸法とＣ寸法はＤ，θ，Ｅにより導かれる寸法である。
【手続補正３７】
【補正対象書類名】明細書
【補正対象項目名】０３０４
【補正方法】変更
【補正の内容】
【０３０４】
【発明の効果】
以上説明したように、本願発明によれば、複数の遮光羽根のうち走行時に最も移動量が少ない遮光羽根および２番目に移動量が少ない遮光羽根におけるアーム部材との連結部がある支持部の延長上に、羽根本体部よりも展開状態から重畳状態への走行方向とは略反対方向に突出する遮光片部を設けているので、２つのアーム部材を用いた平行リンク状の羽根ユニット構造を採用して構造を簡単化することができるとともに、羽根ユニットのイナーシャ増加原因となる遮光片部を移動量の多い遮光羽根に設けずに移動量の少ない遮光羽根に設けることで、不必要に羽根ユニットのイナーシャが大きくなってしまうことを防ぐことができ、シャッタ装置の高速駆動を容易にすることができる。
【手続補正３８】
【補正対象書類名】明細書
【補正対象項目名】０３０７
【補正方法】変更
【補正の内容】
【０３０７】
さらに、本願発明では、複数の遮光羽根のうち、該遮光羽根の走行時に３番目に移動量が少ない遮光羽根におけるアーム部材との連結部がある支持部の延長上に、展開状態から重畳状態への走行方向とは反対方向に突出し、該突出方向先端側よりも根元側の方が該走行方向に略直交する方向において幅広となる形状である第３の遮光片部を有し、上記複数の遮光羽根の重畳状態にて、上記第３の遮光片部が、最も移動量が少ない遮光羽根における２つのアーム部材のうち一方のアーム部材との連結部と、２番目に移動量が少ない遮光羽根における上記一方のアーム部材との連結部との間に入り込むようにしているので、アーム部材の基端側のスペースを有効に利用することが可能となり、遮光片部の長さと面積とを必要十分に確保することができ、シャッタ装置の横方向（羽根走行方向に直交する方向）の寸法を小さくすることができる。
【手続補正３９】
【補正対象書類名】図面
【補正対象項目名】図１８
【補正方法】変更
【補正の内容】
【図１８】
2002229096.tif 000001